(57)【要約】【課題】流通している多岐に亘るデジタル放送受信機によるデジタル放送番組の受信検証を効率的に行うことができる地上デジタル放送受信検証システムを提供する。【解決手段】検証対象放送データに基づいて擬似放送を生成する擬似放送生成手段２４，４０、受信機の制御操作を行う受信機制御手段３３，５４，６４，７４、受信機の表示画面と音声を取得する映像・音声キャプチャ手段３４，３５，５６を備え、検証スクリプトに基づいて、受信機の制御操作を行い、表示画面をキャプチャして検証レポートを生成する。ワンセグ携帯端末では、キー打鍵ロボット５４，５５を用いてキー操作を行い、表示画面撮像カメラ５６により表示画面を撮像する。本システムでは、機種別操作情報データベース３２を備え、単一の検証スクリプトに基づいてワンセグ携帯・ＵＳＢチューナ・ＨＤＴＶ受信機等の各種デジタル放送受信機の受信検証を同時並行的に行うことができる。【選択図】図１
2009272786.tif 000002
【特許請求の範囲】
【請求項１】
検証の対象となる放送データを記憶する放送データ記憶手段と、
前記放送データ記憶手段に記憶された放送データの受信検証を行うための一連の受信機制御情報が記述された検証スクリプトを記憶する検証スクリプト記憶手段と、
前記検証スクリプトに記述された受信機制御情報に対応する、検証の対象となるデジタル放送受信機の機種別操作情報を記憶する機種別操作情報記憶手段と、
前記放送データ記憶手段に記憶された放送データに基づいて擬似放送を生成し、前記デジタル放送受信機に供給する擬似放送生成手段と、
前記デジタル放送受信機の制御操作を行う受信機制御手段と、
前記デジタル放送受信機の表示画面をキャプチャする表示画面キャプチャ手段と、
前記検証スクリプト記憶手段に記憶された検証スクリプトを取り出し、前記取り出された検証スクリプトに記述された各受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記キャプチャされた一連の表示画面に基づいて前記検証するデジタル放送受信機の受信検証レポートを生成する機能を有する制御手段と、を備えたことを特徴とする、地上デジタル放送受信検証システム。
【請求項２】
前記検証の対象となるデジタル放送受信機は、ワンセグ受信機能を有する携帯端末を含み、
前記受信機制御手段は、前記携帯端末のキーを打鍵するキー打鍵手段を含み、
前記表示画面キャプチャ手段は、前記携帯端末の表示画面を撮像する撮像手段と、前記撮像手段により撮像された画像をキャプチャする画像キャプチャ手段とを含み、
前記機種別操作情報記憶手段には、前記検証スクリプトに記述された受信機制御情報に対応する、前記携帯端末の機種別のキー打鍵位置情報が記憶され、
前記制御手段は、前記検証スクリプト記憶手段から取り出された検証スクリプトに記述された各受信機制御情報について、前記機種別操作情報記憶手段を参照して検証する携帯端末のキー打鍵位置情報を取り出し、前記キー打鍵手段により前記検証する携帯端末の対応するキーを打鍵し、前記撮像手段および前記画像キャプチャ手段により前記検証する携帯端末の表示画面をキャプチャし、前記キャプチャされた表示画面に基づいて前記検証する携帯端末の受信検証レポートを生成する機能を有することを特徴とする、請求項１に記載の地上デジタル放送受信検証システム。
【請求項３】
前記検証の対象となるデジタル放送受信機は、ワンセグチューナが装着されたパソコンを含み、
前記受信機制御手段は、前記ワンセグチューナが装着されたパソコンの外部入出力インターフェースを介してパソコンのキーを操作するパソコンキー操作手段を含み、
前記表示画面キャプチャ手段は、前記ワンセグチューナが装着されたパソコンの外部入出力インターフェースを介してパソコンの表示画面を取得するパソコン表示画面取得手段を含み、
前記機種別操作情報記憶手段には、前記検証スクリプトに記述された受信機制御情報に対応する、前記ワンセグチューナの機種別キー操作情報が記憶され、
前記制御手段は、前記検証スクリプト記憶手段から取り出された検証スクリプトに記述された各受信機制御情報について、前記機種別操作情報記憶手段を参照して検証するワンセグチューナのキー操作情報を取り出し、前記パソコンキー操作手段により前記検証するワンセグチューナが装着されたパソコンの対応するキーを操作し、前記パソコン表示画面取得手段により前記検証するワンセグチューナが装着されたパソコンの表示画面をキャプチャし、前記キャプチャされたパソコン表示画面に基づいて前記検証するワンセグチューナの受信検証レポートを生成する機能を有することを特徴とする、請求項１または請求項２に記載の地上デジタル放送受信検証システム。
【請求項４】
前記検証の対象となるデジタル放送受信機は、１２セグメント放送を受信するテレビジョン放送受信機を含み、
前記受信機制御手段は、前記テレビジョン放送受信機の赤外線リモコン操作信号を送信する赤外線通信手段を含み、
前記表示画面キャプチャ手段は、前記テレビジョン放送受信機の映像信号をキャプチャするＨＤＴＶキャプチャ手段を含み、
前記機種別操作情報記憶手段には、前記検証スクリプトに記述された受信機制御情報に対応する、前記テレビジョン放送受信機の機種別赤外線リモコン操作情報が記憶され、
前記制御手段は、前記検証スクリプト記憶手段から取り出された検証スクリプトに記述された各受信機制御情報について、前記機種別操作情報記憶手段を参照して検証するテレビジョン放送受信機の赤外線リモコン操作情報を取り出し、前記赤外線通信手段により前記検証するテレビジョン放送受信機の制御操作を行い、前記ＨＤＴＶキャプチャ手段により前記検証するテレビジョン放送受信機の表示画面をキャプチャし、前記キャプチャされた表示画面に基づいて前記検証するテレビジョン放送受信機の受信検証レポートを生成する機能を有することを特徴とする、請求項１ないし請求項３のいずれかに記載の地上デジタル放送受信検証システム。
【請求項５】
前記放送データ記憶手段に記憶された放送データの画面遷移解析を行い、画面を遷移させるすべての受信機制御情報を抽出し、検証スクリプトを自動生成する検証スクリプト自動生成手段を備えたことを特徴とする、請求項１ないし請求項４のいずれかに記載の地上デジタル放送受信検証システム。
【請求項６】
検証の対象となる放送データを記憶する放送データ記憶手段と、
検証するデジタル放送受信機の表示画面を遷移させる受信機制御情報とともに、遷移後の表示画面を判定するための参照画像データと、遷移後の表示画面の表示位置と大きさを定義する画面表示設定情報とが記述された検証スクリプトを記憶する検証スクリプト記憶手段と、
前記検証スクリプトに記述された受信機制御情報に対応する、前記デジタル放送受信機の機種別操作情報を記憶する機種別操作情報記憶手段と、
前記放送データ記憶手段に記憶された放送データに基づいて擬似放送を生成し、前記デジタル放送受信機に供給する擬似放送生成手段と、
前記デジタル放送受信機の制御操作を行う受信機制御手段と、
前記デジタル放送受信機の表示画面をキャプチャする表示画面キャプチャ手段と、
前記検証スクリプト記憶手段に記憶された検証スクリプトを取り出し、前記取り出された検証スクリプトに記述された各受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記キャプチャされた表示画面について前記検証スクリプトに記述された対応する画面表示設定情報に基づいて前記検証スクリプトに記述された対応する参照画像データとマッチング演算を行い、前記検証するデジタル放送受信機のデータ放送の画面遷移を自動判定する機能を有する制御手段と、を備えたことを特徴とする、地上デジタル放送受信検証システム。
【請求項７】
検証の対象となる放送データを記憶する放送データ記憶手段と、
デジタル放送受信機の受信機制御情報に対応する、検証の対象となるデジタル放送受信機の機種別操作情報を記憶する機種別操作情報記憶手段と、
前記放送データ記憶手段に記憶された放送データに基づいて擬似放送を生成し、前記デジタル放送受信機に供給する擬似放送生成手段と、
前記デジタル放送受信機の制御操作を行う受信機制御手段と、
前記デジタル放送受信機の表示画面をキャプチャする表示画面キャプチャ手段と、
前記放送データ記憶手段から検証する放送データを取り出して画面遷移解析を行い、画面を遷移させる受信機制御情報と、遷移後の表示画面のリンク情報と、遷移後の表示画面の表示位置と大きさを定義する画面表示設定情報とを取得し、前記取得された受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記取得されたリンク情報に基づいて遷移後の表示画面を合成して参照画像データを生成し、前記キャプチャされた表示画面について前記取得された画面表示設定情報に基づいて前記生成された参照画像データとマッチング演算を行い、前記検証するデジタル放送受信機のデータ放送の画面遷移を自動判定する機能を有する制御手段と、
を備えたことを特徴とする、地上デジタル放送受信検証システム。
【請求項８】
検証するデジタル放送受信機の表示画面を遷移させる受信機制御情報とともに、遷移後の表示画面を判定するための参照画像データと、遷移後の表示画面の表示位置と大きさを定義する画面表示設定情報とが記述された検証スクリプトを記憶する検証スクリプト記憶手段と、
前記検証スクリプトに記述された受信機制御情報に対応する、前記デジタル放送受信機の機種別操作情報を記憶する機種別操作情報記憶手段と、
前記デジタル放送受信機の制御操作を行う受信機制御手段と、
前記デジタル放送受信機の表示画面をキャプチャする表示画面キャプチャ手段と、
前記検証スクリプト記憶手段に記憶された検証スクリプトを取り出し、前記取り出された検証スクリプトに記述された各受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記キャプチャされた表示画面について前記検証スクリプトに記述された対応する画面表示設定情報に基づいて前記検証スクリプトに記述された対応する参照画像データとマッチング演算を行い、前記検証するデジタル放送受信機のデータ放送の画面遷移を自動判定する機能を有する制御手段と、を備えたことを特徴とする、地上デジタル放送受信検証システム。
【請求項９】
検証の対象となる放送データを記憶する放送データ記憶手段と、
デジタル放送受信機の受信機制御情報に対応する、検証の対象となるデジタル放送受信機の機種別操作情報を記憶する機種別操作情報記憶手段と、
前記デジタル放送受信機の制御操作を行う受信機制御手段と、
前記デジタル放送受信機の表示画面をキャプチャする表示画面キャプチャ手段と、
前記放送データ記憶手段から検証する放送データを取り出して画面遷移解析を行い、画面を遷移させる受信機制御情報と、遷移後の表示画面のリンク情報と、遷移後の表示画面の表示位置と大きさを定義する画面表示設定情報とを取得し、前記取得された受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記取得されたリンク情報に基づいて遷移後の表示画面を合成して参照画像データを生成し、前記キャプチャされた表示画面について前記取得された画面表示設定情報に基づいて前記生成された参照画像データとマッチング演算を行い、前記検証するデジタル放送受信機のデータ放送の画面遷移を自動判定する機能を有する制御手段と、
を備えたことを特徴とする、地上デジタル放送受信検証システム。
【請求項１０】
前記放送データ記憶手段に記憶された放送データの映像ストリームを再生する映像再生手段を備え、
前記制御手段は、前記表示画面キャプチャ手段によりキャプチャされた画像フレームと前記映像再生手段により再生された映像ストリームとの動的マッチング演算を行い、デジタル放送受信機による映像表示を自動判定する機能を有することを特徴とする、請求項８または請求項９に記載の地上デジタル放送受信検証システム。
【請求項１１】
前記デジタル放送受信機の音声をキャプチャする音声キャプチャ手段と、
前記放送データ記憶手段に記憶された放送データの音声ストリームを再生する音声再生手段を備え、
前記制御手段は、前記音声取得手段により取得された音声データと前記音声再生手段により再生された音声ストリームとの動的マッチング演算を行い、デジタル放送受信機による音声出力を自動判定する機能を有することを特徴とする、請求項８ないし請求項１０のいずれかに記載の地上デジタル放送受信検証システム。
【発明の詳細な説明】
【技術分野】
【０００１】
この発明は、地上デジタル放送の受信検証を行うシステムに関し、特に、流通している多岐に亘るデジタル放送受信機による放送番組の受信検証を効率的に行うことができる地上デジタル放送受信検証システムに関する。
【背景技術】
【０００２】
我が国の地上デジタル放送は、１チャンネルが１３セグメントに区分され、１２セグメントのハイビジョン放送（ＨＤＴＶ）と、携帯端末向けのワンセグメント放送（ワンセグ）とが同時に提供されるとともに、データ放送も同時に提供され、放送と通信を融合した様々なサービスに対応できるようになっている。
我が国では、このような地上デジタル放送が２００３年１２月から開始され、２０１１年７月には現在のアナログ放送が終了して完全にデジタル放送に置き換わる予定である。
【０００３】
一方、かかる我が国の地上デジタル放送を受信するデジタル放送受信機としては、ＨＤＴＶテレビジョン放送受信機のほか、ワンセグ対応携帯電話、ワンセグ対応携帯端末、ＵＳＢワンセグチューナなど極めて多岐に亘る。
このため、地上デジタル放送を提供する放送局は、かかる多岐に亘るデジタル放送受信機に対して常に正しく表示される放送電波を提供することが要求されることとなり、デジタル放送番組の受信検証を如何に効率的に実施して行くかが大きな課題となっている。
【０００４】
かかるデジタル放送番組の受信検証を行う従来技術として、例えば、特許文献１では、データ放送用に作成された番組データを、放送に先立って模擬的に再生し、再生した番組データに基づき、放送時間の経過に対応した各ページの画面を表示できるようにしたデータ放送番組検証システムが開示されている。
また、特許文献２では、連動型のデータ放送について、実際に放送されるフォーマットでのデータ放送の送出シミュレーションを行う手段を備え、番組コンテンツとデータ放送用コンテンツとを連動させた映像を受信機においてプレビューできるデータ放送テストシステムが開示されている。
また、特許文献３では、デジタル放送におけるデータ放送のコンテンツ情報を受信する受信手段を備え、コンテンツ解析部によって受信されたコンテンツを解析して操作可能な情報を抽出し、ＢＭＬブラウザによりコンテンツの各ページを自動的に一定間隔で表示させるデータ放送確認装置が開示されている。
【０００５】
【特許文献１】特開２００４−３３６４４１号公報
【特許文献２】特開２００２−１３５２２０号公報
【特許文献３】特開２００１−３５８６７１号公報
【発明の開示】
【発明が解決しようとする課題】
【０００６】
しかしながら、特許文献１のシステムは、番組データを、放送電波を介さず、直接再生することで放送番組の確認を行うものであり、流通しているデジタル受信機によって正しく表示されることを検証する目的には適用できない。
また、特許文献２のシステムは、実際に放送されるフォーマットでのデータ放送の送出シミュレーションを行い、デジタル放送受信機において表示される画面を確認できるようにしたものであるが、受信機側での操作に対して正しく画面の遷移が行われることを検証する目的には適用できない。
また、特許文献３の装置は、実際に放送されたデータ放送を受信機で受信して表示画面を確認するようにしたものであるが、ここで使用する受信機はコンテンツ解析部や擬似リモコン操作部を備えた専用の受信機であって、流通している多岐に亘るデジタル放送受信機において正しく受信されることを確認する目的に適用できるものではない。
【０００７】
本願発明は、上記のような従来技術の問題点を解決するためになされたものであり、検証するデジタル放送受信機により実際に受信された放送電波について、受信機側での操作による表示画面の遷移状況を検証することができ、流通している多岐に亘るデジタル放送受信機において、検証の対象となるデジタル放送番組が正しく受信されることを効率的に検証できる地上デジタル放送受信検証システムを提供することを目的とする。
【課題を解決するための手段】
【０００８】
この発明にかかる地上デジタル放送受信検証システムは、検証の対象となる放送データを記憶する放送データ記憶手段と、前記放送データ記憶手段に記憶された放送データの受信検証を行うための一連の受信機制御情報が記述された検証スクリプトを記憶する検証スクリプト記憶手段と、前記検証スクリプトに記述された受信機制御情報に対応する、検証の対象となるデジタル放送受信機の機種別操作情報を記憶する機種別操作情報記憶手段と、前記放送データ記憶手段に記憶された放送データに基づいて擬似放送を生成し、前記デジタル放送受信機に供給する擬似放送生成手段と、前記デジタル放送受信機の制御操作を行う受信機制御手段と、前記デジタル放送受信機の表示画面をキャプチャする表示画面キャプチャ手段と、前記検証スクリプト記憶手段に記憶された検証スクリプトを取り出し、前記取り出された検証スクリプトに記述された各受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記キャプチャされた一連の表示画面に基づいて前記検証するデジタル放送受信機の受信検証レポートを生成する機能を有する制御手段と、を備えたものである。
【０００９】
この発明によれば、検証の対象となる放送データから擬似放送を生成し、検証するデジタル放送受信機に供給する擬似放送生成手段と、検証するデジタル放送受信機の制御操作を行う受信機制御手段と、検証するデジタル放送受信機の表示画面をキャプチャする表示画面キャプチャ手段を備え、検証スクリプトに記述された一連の受信機制御情報に基づき、検証する受信機の制御操作を行い、制御操作後の受信機の表示画面をキャプチャし、キャプチャされた一連の表示画面に基づいて受信検証レポートを生成するので、検証するデジタル放送受信機により実際に受信された放送電波について、受信機側での操作による表示画面の遷移状況を検証することができる。
また、この発明によれば、デジタル放送受信機の受信機制御情報に対応する機種別の操作情報が記憶された機種別操作情報記憶手段を備え、検証スクリプトの各受信機制御情報について、機種別操作情報記憶手段を参照して各受信機の制御操作を行うので、単一の検証スクリプトで多種のデジタル放送受信機の受信検証を同時に行うことができ、流通している多岐に亘るデジタル放送受信機の受信検証を効率的に行うことができる。
【００１０】
前記検証の対象となるデジタル放送受信機は、ワンセグ受信機能を有する携帯端末を含み、前記受信機制御手段は、前記携帯端末のキーを打鍵するキー打鍵手段を含み、前記表示画面キャプチャ手段は、前記携帯端末の表示画面を撮像する撮像手段と、前記撮像手段により撮像された画像をキャプチャする画像キャプチャ手段とを含み、前記機種別操作情報記憶手段には、前記検証スクリプトに記述された受信機制御情報に対応する、前記携帯端末の機種別のキー打鍵位置情報が記憶され、前記制御手段は、前記検証スクリプト記憶手段から取り出された検証スクリプトに記述された各受信機制御情報について、前記機種別操作情報記憶手段を参照して検証する携帯端末のキー打鍵位置情報を取り出し、前記キー打鍵手段により前記検証する携帯端末の対応するキーを打鍵し、前記撮像手段および前記画像キャプチャ手段により前記検証する携帯端末の表示画面をキャプチャし、前記キャプチャされた表示画面に基づいて前記検証する携帯端末の受信検証レポートを生成する機能を有するものでもよい。
【００１１】
この発明によれば、ワンセグ対応携帯端末による受信検証を可能とするため、受信機制御手段として携帯端末のキーを打鍵するキー打鍵手段を備え、表示画面キャプチャ手段として携帯端末の表示画面を撮像する撮像手段と画像キャプチャ手段とを備えるので、ワンセグ対応携帯端末を所定位置に固定するだけで、実際に受信された放送電波について、受信機の制御操作による表示画面の遷移状況を検証することができる。
また、この発明によれば、ワンセグ対応携帯端末の機種別キー打鍵位置情報が機種別操作情報記憶手段に記憶されているので、単一の検証スクリプトで多種のワンセグ対応携帯端末の受信検証を同時に行うことができ、実際に流通している多岐に亘るワンセグ対応携帯端末の受信検証を効率的に行うことができる。
なお、検証するワンセグ対応携帯端末の機種別に、撮像手段により撮像された画像から表示画面部分を切り出すための画像取込範囲を記憶する機種別画像取込範囲記憶手段を備え、表示画面キャプチャ手段において、機種別画像取込範囲記憶手段に記憶された画面取込範囲情報を参照して表示画面部分を切り出すようにしてもよい。これにより、表示画面の位置が異なる各種のワンセグ携帯端末について、常に表示画面部分のみを切り出した検証レポートを生成できる。
【００１２】
前記検証の対象となるデジタル放送受信機は、ワンセグチューナが装着されたパソコンを含み、前記受信機制御手段は、前記ワンセグチューナが装着されたパソコンの外部入出力インターフェースを介してパソコンのキーを操作するパソコンキー操作手段を含み、前記表示画面キャプチャ手段は、前記ワンセグチューナが装着されたパソコンの外部入出力インターフェースを介してパソコンの表示画面を取得するパソコン表示画面取得手段を含み、前記機種別操作情報記憶手段には、前記検証スクリプトに記述された受信機制御情報に対応する、前記ワンセグチューナの機種別キー操作情報が記憶され、前記制御手段は、前記検証スクリプト記憶手段から取り出された検証スクリプトに記述された各受信機制御情報について、前記機種別操作情報記憶手段を参照して検証するワンセグチューナのキー操作情報を取り出し、前記パソコンキー操作手段により前記検証するワンセグチューナが装着されたパソコンの対応するキーを操作し、前記パソコン表示画面取得手段により前記検証するワンセグチューナが装着されたパソコンの表示画面をキャプチャし、前記キャプチャされたパソコン表示画面に基づいて前記検証するワンセグチューナの受信検証レポートを生成する機能を有するものでもよい。
【００１３】
この発明によれば、ワンセグチューナによる受信検証を可能とするため、受信機制御手段としてワンセグチューナが接続されたパソコンのキーを操作するパソコンキー操作手段を備え、表示画面キャプチャ手段としてワンセグチューナが接続されたパソコンの表示画面を取得するパソコン表示画面取得手段を備えるので、検証するワンセグチューナにより実際に受信された放送電波について、受信機の制御操作による表示画面の遷移状況を検証することができる。
また、この発明によれば、ワンセグチューナの機種別キー操作情報が機種別操作情報記憶手段に記憶されているので、単一の検証スクリプトで多種のワンセグチューナの受信検証を同時に行うことができ、流通している多岐に亘るワンセグチューナの受信検証を効率的に行うことができる。
【００１４】
前記検証の対象となるデジタル放送受信機は、１２セグメント放送を受信するテレビジョン放送受信機を含み、前記受信機制御手段は、前記テレビジョン放送受信機の赤外線リモコン操作信号を送信する赤外線通信手段を含み、前記表示画面キャプチャ手段は、前記テレビジョン放送受信機の映像信号をキャプチャするＨＤＴＶキャプチャ手段を含み、前記機種別操作情報記憶手段には、前記検証スクリプトに記述された受信機制御情報に対応する、前記テレビジョン放送受信機の機種別赤外線リモコン操作情報が記憶され、前記制御手段は、前記検証スクリプト記憶手段から取り出された検証スクリプトに記述された各受信機制御情報について、前記機種別操作情報記憶手段を参照して検証するテレビジョン放送受信機の赤外線リモコン操作情報を取り出し、前記赤外線通信手段により前記検証するテレビジョン放送受信機の制御操作を行い、前記ＨＤＴＶキャプチャ手段により前記検証するテレビジョン放送受信機の表示画面をキャプチャし、前記キャプチャされた表示画面に基づいて前記検証するテレビジョン放送受信機の受信検証レポートを生成する機能を有するものでもよい。
【００１５】
この発明によれば、１２セグメント放送を受信するテレビジョン放送受信機による受信検証を可能とするため、受信機制御手段としてテレビジョン放送受信機の赤外線リモコン操作信号を送信する赤外線通信装置を備え、表示画面キャプチャ手段としてテレビジョン放送受信機の映像信号をキャプチャするＨＤＴＶキャプチャ手段を備えるので、検証するテレビジョン放送受信機により実際に受信された放送電波について、受信機の制御操作による表示画面の遷移状況を検証することができる。
また、この発明によれば、テレビジョン放送受信機の機種別赤外線リモコン操作情報が機種別操作情報記憶手段に記憶されているので、単一の検証スクリプトで多種のテレビジョン放送受信機の受信検証を同時に行うことができ、流通している多岐に亘るテレビジョン放送受信機の受信検証を効率的に行うことができる。
【００１６】
前記放送データ記憶手段に記憶された放送データの画面遷移解析を行い、画面を遷移させるすべての受信機制御情報を抽出し、検証スクリプトを自動生成する検証スクリプト自動生成手段を備えたものでもよい。
【００１７】
この発明によれば、放送データの画面遷移解析により検証スクリプトが自動生成されるので、依頼者から検証の対象となる放送データのみを取得することで、検証レポートを生成して依頼者に報告することができる。
【００１８】
この発明にかかる地上デジタル放送受信検証システムは、検証の対象となる放送データを記憶する放送データ記憶手段と、検証するデジタル放送受信機の表示画面を遷移させる受信機制御情報とともに、遷移後の表示画面を判定するための参照画像データと、遷移後の表示画面の表示位置と大きさを定義する画面表示設定情報とが記述された検証スクリプトを記憶する検証スクリプト記憶手段と、前記検証スクリプトに記述された受信機制御情報に対応する、前記デジタル放送受信機の機種別操作情報を記憶する機種別操作情報記憶手段と、前記放送データ記憶手段に記憶された放送データに基づいて擬似放送を生成し、前記デジタル放送受信機に供給する擬似放送生成手段と、前記デジタル放送受信機の制御操作を行う受信機制御手段と、前記デジタル放送受信機の表示画面をキャプチャする表示画面キャプチャ手段と、前記検証スクリプト記憶手段に記憶された検証スクリプトを取り出し、前記取り出された検証スクリプトに記述された各受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記キャプチャされた表示画面について前記検証スクリプトに記述された対応する画面表示設定情報に基づいて前記検証スクリプトに記述された対応する参照画像データとマッチング演算を行い、前記検証するデジタル放送受信機のデータ放送の画面遷移を自動判定する機能を有する制御手段と、を備えたものでもよい。
【００１９】
この発明によれば、検証の対象となる放送データから擬似放送を生成し、検証するデジタル放送受信機に供給する擬似放送生成手段と、検証するデジタル放送受信機の制御操作を行う受信機制御手段と、検証するデジタル放送受信機の表示画面をキャプチャする表示画面キャプチャ手段を備え、検証するデジタル放送受信機の表示画面を遷移させる受信機制御情報とともに、遷移後の表示画面を判定するための参照画像データと、遷移後の表示画面の表示位置と大きさを定義する画面表示設定情報とが記述された検証スクリプトを用いて、検証スクリプトに記述された一連の受信機制御情報に基づき、検証する受信機の制御操作を行い、制御操作後の受信機の表示画面をキャプチャし、キャプチャされた表示画面について、対応する画面表示設定情報に基づき、対応する参照画像データとのマッチング演算を行う機能を有するので、検証するデジタル放送受信機により実際に受信された放送電波について、受信機の制御操作による表示画面の遷移状況を検証スクリプトに基づいて自動判定できる。
また、この発明によれば、デジタル放送受信機の受信機制御情報に対応する機種別の受信機操作情報が記憶された機種別操作情報記憶手段を備え、制御手段において、検証スクリプトの各受信機制御情報について、機種別操作情報記憶手段を参照して各受信機の制御操作を行うので、単一の検証スクリプトで多種のデジタル放送受信機の受信検証を同時に行うことができ、流通している多岐に亘るデジタル放送受信機の受信検証を効率的に行うことができる。
【００２０】
この発明にかかる地上デジタル放送受信検証システムは、検証の対象となる放送データを記憶する放送データ記憶手段と、デジタル放送受信機の受信機制御情報に対応する、検証の対象となるデジタル放送受信機の機種別操作情報を記憶する機種別操作情報記憶手段と、前記放送データ記憶手段に記憶された放送データに基づいて擬似放送を生成し、前記デジタル放送受信機に供給する擬似放送生成手段と、前記デジタル放送受信機の制御操作を行う受信機制御手段と、前記デジタル放送受信機の表示画面をキャプチャする表示画面キャプチャ手段と、前記放送データ記憶手段から検証する放送データを取り出して画面遷移解析を行い、画面を遷移させる受信機制御情報と、遷移後の表示画面のリンク情報と、遷移後の表示画面の表示位置と大きさを定義する画面表示設定情報とを取得し、前記取得された受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記取得されたリンク情報に基づいて遷移後の表示画面を合成して参照画像データを生成し、前記キャプチャされた表示画面について前記取得された画面表示設定情報に基づいて前記生成された参照画像データとマッチング演算を行い、前記検証するデジタル放送受信機のデータ放送の画面遷移を自動判定する機能を有する制御手段と、を備えたものでもよい。
【００２１】
この発明によれば、検証の対象となる放送データから擬似放送を生成し、検証するデジタル放送受信機に供給する擬似放送生成手段と、検証するデジタル放送受信機の制御操作を行う受信機制御手段と、検証するデジタル放送受信機の表示画面をキャプチャする表示画面キャプチャ手段を備え、検証の対象となる放送データの画面遷移解析を行って、画面を遷移させる受信機制御情報と、遷移後の表示画面のリンク情報と、遷移後の表示画面の表示位置と大きさを定義する画面表示設定情報とを取得し、取得された受信機制御情報に基づいて検証する受信機の制御操作を行い、制御操作後の受信機の表示画面をキャプチャし、キャプチャされた表示画面について、取得された画面表示設定情報に基づき、取得された参照画像データとのマッチング演算を行う機能を有するので、検証の対象となる放送データのみに基づいて、検証するデジタル放送受信機により実際に受信された放送電波について、受信機の制御操作による表示画面の遷移状況を自動判定できる。
また、この発明によれば、デジタル放送受信機の受信機制御情報に対応する機種別の受信機操作情報が記憶された機種別操作情報記憶手段を備え、制御手段において、検証スクリプトの各受信機制御情報について、機種別操作情報記憶手段を参照して各受信機の制御操作を行うので、検証の対象となる放送データに基づき、多種のデジタル放送受信機の受信検証を同時に行うことができ、流通している多岐に亘るデジタル放送受信機の受信検証を効率的に行うことができる。
【００２２】
この発明にかかる地上デジタル放送受信検証システムは、検証するデジタル放送受信機の表示画面を遷移させる受信機制御情報とともに、遷移後の表示画面を判定するための参照画像データと、遷移後の表示画面の表示位置と大きさを定義する画面表示設定情報とが記述された検証スクリプトを記憶する検証スクリプト記憶手段と、前記検証スクリプトに記述された受信機制御情報に対応する、前記デジタル放送受信機の機種別操作情報を記憶する機種別操作情報記憶手段と、前記デジタル放送受信機の制御操作を行う受信機制御手段と、前記デジタル放送受信機の表示画面をキャプチャする表示画面キャプチャ手段と、前記検証スクリプト記憶手段に記憶された検証スクリプトを取り出し、前記取り出された検証スクリプトに記述された各受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記キャプチャされた表示画面について前記検証スクリプトに記述された対応する画面表示設定情報に基づいて前記検証スクリプトに記述された対応する参照画像データとマッチング演算を行い、前記検証するデジタル放送受信機のデータ放送の画面遷移を自動判定する機能を有する制御手段と、を備えたものでもよい。
【００２３】
この発明によれば、検証するデジタル放送受信機の制御操作を行う受信機制御手段と、検証するデジタル放送受信機の表示画面をキャプチャする表示画面キャプチャ手段を備え、検証するデジタル放送受信機の表示画面を遷移させる受信機制御情報とともに、遷移後の表示画面を判定するための参照画像データと、遷移後の表示画面の表示位置と大きさを定義する画面表示設定情報とが記述された検証スクリプトを用いて、検証スクリプトに記述された一連の受信機制御情報に基づき、検証する受信機の制御操作を行い、制御操作後の受信機の表示画面をキャプチャし、キャプチャされた表示画面について、対応する画面表示設定情報に基づき、対応する参照画像データとのマッチング演算を行う機能を有するので、検証するデジタル放送受信機により受信された実際の放送電波について、受信機の制御操作による表示画面の遷移状況を検証スクリプトに基づいて自動判定でき、放送中のデータ放送の異常をリアルタイムに検知して通報するシステムを構成できる。
また、この発明によれば、デジタル放送受信機の受信機制御情報に対応する機種別の受信機操作情報が記憶された機種別操作情報記憶手段を備え、制御手段において、検証スクリプトの各受信機制御情報について、機種別操作情報記憶手段を参照して各受信機の制御操作を行うので、多種のデジタル放送受信機の受信検証を同時に行うことができ、流通している多岐に亘るデジタル放送受信機の受信検証を効率的に行うことができる。
【００２４】
この発明にかかる地上デジタル放送受信検証システムは、検証の対象となる放送データを記憶する放送データ記憶手段と、デジタル放送受信機の受信機制御情報に対応する、検証の対象となるデジタル放送受信機の機種別操作情報を記憶する機種別操作情報記憶手段と、前記デジタル放送受信機の制御操作を行う受信機制御手段と、前記デジタル放送受信機の表示画面をキャプチャする表示画面キャプチャ手段と、前記放送データ記憶手段から検証する放送データを取り出して画面遷移解析を行い、画面を遷移させる受信機制御情報と、遷移後の表示画面のリンク情報と、遷移後の表示画面の表示位置と大きさを定義する画面表示設定情報とを取得し、前記取得された受信機制御情報について、前記機種別操作情報記憶手段を参照して検証するデジタル放送受信機の操作情報を取り出し、前記受信機制御手段により前記検証するデジタル放送受信機の制御操作を行い、前記表示画面キャプチャ手段により前記検証するデジタル放送受信機の表示画面をキャプチャし、前記取得されたリンク情報に基づいて遷移後の表示画面を合成して参照画像データを生成し、前記キャプチャされた表示画面について前記取得された画面表示設定情報に基づいて前記生成された参照画像データとマッチング演算を行い、前記検証するデジタル放送受信機のデータ放送の画面遷移を自動判定する機能を有する制御手段と、
を備えたものでもよい。
【００２５】
この発明によれば、検証するデジタル放送受信機の制御操作を行う受信機制御手段と、検証するデジタル放送受信機の表示画面をキャプチャする表示画面キャプチャ手段を備え、検証の対象となる放送データの画面遷移解析を行って、画面を遷移させる受信機制御情報と、遷移後の表示画面のリンク情報と、遷移後の表示画面の表示位置と大きさを定義する画面表示設定情報とを取得し、取得された受信機制御情報に基づいて検証する受信機の制御操作を行い、制御操作後の受信機の表示画面をキャプチャし、キャプチャされた表示画面について、取得された画面表示設定情報に基づき、取得された参照画像データとのマッチング演算を行う機能を有するので、検証の対象となる放送データのみに基づいて、検証するデジタル放送受信機により受信された実際の放送電波について、受信機の制御操作による表示画面の遷移状況を自動判定でき、放送中のデータ放送の異常をリアルタイムに検知して通報するシステムを構成できる。
また、この発明によれば、デジタル放送受信機の受信機制御情報に対応する機種別の受信機操作情報が記憶された機種別操作情報記憶手段を備え、制御手段において、検証スクリプトの各受信機制御情報について、機種別操作情報記憶手段を参照して各受信機の制御操作を行うので、多種のデジタル放送受信機の受信検証を同時に行うことができ、流通している多岐に亘るデジタル放送受信機の受信検証を効率的に行うことができる。
【００２６】
前記放送データ記憶手段に記憶された放送データの映像ストリームを再生する映像再生手段を備え、前記制御手段は、前記表示画面キャプチャ手段によりキャプチャされた画像フレームと前記映像再生手段により再生された映像ストリームとの動的マッチング演算を行い、デジタル放送受信機による映像表示を自動判定する機能を有するものでもよい。
【００２７】
この発明によれば、表示画面キャプチャ手段によりキャプチャされた画像フレームと、放送データの映像ファイルを再生して生成された映像ストリームとの動的マッチング演算を行う機能を有するので、検証するデジタル放送受信機により受信される実際の放送番組の映像を自動判定でき、放送中の映像の異常をリアルタイムに検知して通報するシステムを構成できる。
【００２８】
前記デジタル放送受信機の音声をキャプチャする音声キャプチャ手段と、前記放送データ記憶手段に記憶された放送データの音声ストリームを再生する音声再生手段を備え、前記制御手段は、前記音声取得手段により取得された音声データと前記音声再生手段により再生された音声ストリームとの動的マッチング演算を行い、デジタル放送受信機による音声出力を自動判定する機能を有するものでもよい。
【００２９】
この発明によれば、音声キャプチャ手段によりキャプチャされた音声データと、放送データの音声ファイルを再生して生成された音声ストリームとの動的スペクトルマッチング演算を行う機能を有するので、検証するデジタル放送受信機により受信された実際の放送番組の音声を自動判定することができ、放送中の音声の異常をリアルタイムに検知して通報するシステムを構成できる。
【発明の効果】
【００３０】
以上のように、本願発明によれば、検証するデジタル放送受信機で実際に受信された放送電波について、受信機側での操作による表示画面の遷移を検証することができ、流通している多岐に亘るデジタル放送受信機の受信検証を効率的に行うことができるという効果がある。
【００３１】
本願発明の上述の目的，その他の目的，特徴および利点は、図面を参照して行う以下の発明を実施するための最良の形態の説明から一層明らかとなろう。
【発明を実施するための最良の形態】
【００３２】
図１に、本願発明の一実施形態にかかる地上デジタル放送受信検証システムのシステム構成図を示す。
本システムでは、放送データの受信検証を行うデジタル放送受信機として、３種類のワンセグ対応携帯端末５２ａ、５２ｂ、５２ｃと、３種類のＵＳＢワンセグチューナ６２ａ、６２ｂ、６２ｃと、２種類のＨＤＴＶ放送受信機７２ａ、７２ｂ（７２ｂはＨＤＴＶ放送受信チューナ）を対象とする場合について例示する。
【００３３】
本システムは、システム全体を制御する全体制御コンピュータ１０と、擬似放送の送信を制御する擬似放送送信制御コンピュータ２０と、検証する受信機を制御して表示画面のキャプチャを行い、検証レポートを生成する検証制御コンピュータ３０と、検証する受信機に対して擬似放送電波を供給する擬似放送送信機４０と、ワンセグ対応携帯端末の受信検証を行うためのワンセグ対応携帯端末受信検証ユニット５０ａ、５０ｂ、５０ｃと、ＵＳＢワンセグチューナの受信検証を行うためのＵＳＢワンセグチューナ受信検証ユニット６０ａ、６０ｂ、６０ｃと、ＨＤＴＶ放送受信機の受信検証を行うためのＨＤＴＶ放送受信機受信検証ユニット７０ａ、７０ｂを備える。
【００３４】
全体制御コンピュータ１０は、検証手順が記述された検証スクリプトが記憶される検証スクリプトデータベース１２と、検証スクリプトデータベースから検証を行う検証スクリプトを取り出し、取り出された検証スクリプトの記述に従って、擬似放送制御コンピュータ２０に対して擬似放送番組の送信開始を指示し、検証制御コンピュータ３０に対して、検証する受信機を制御し、表示画面等のキャプチャを行い、検証レポートを生成する指示を行う全体制御モジュール１４を備える。
【００３５】
擬似放送送信制御コンピュータ２０は、検証の対象となる放送データが記憶される検証対象放送データベース２２と、検証対象放送データベースから検証の対象となる放送データを取り出し、取り出された放送データに基づいて擬似放送送信機４０に対して擬似放送の送信を指示する送信機制御モジュール２４を備える。
検証対象放送データは、データ放送の内容を記述したＢＭＬ（Broadcast Markup Language）ファイルや、映像・音声データ、字幕データから構成される。
擬似放送送信機４０は、地上デジタル放送規格「ＡＲＩＢ  ＳＴＤ−Ｂ３１」に準拠したＯＤＦＭ（Orthogonal Frequency Division Multiplexing）変調機であり、擬似放送送信制御コンピュータの送信機制御モジュールから供給される放送データに基づいて、所定の擬似放送を生成して検証する各受信機に供給する。
ここでは、ＢＭＬファイル、映像・音声データ、字幕データから、あらかじめ検証用ＴＳ（テストストリーム）を生成してファイリングしておき、擬似放送送信機４０は、送信機制御モジュールから検証用ＴＳを指定して送信開始の指令を受けることで、擬似電波を送信する。
【００３６】
検証制御コンピュータ３０は、デジタル放送受信機の機種別の受信機操作情報が記録された機種別操作情報データベース３２と、機種別操作情報データベースから検証する受信機の操作情報を抽出し、操作情報を各受信機に送信して制御操作を行う受信機制御モジュール３３と、検証する各デジタル放送受信機の表示画面をキャプチャする画像キャプチャモジュール３４と、各受信機の音声出力をキャプチャする音声キャプチャモジュール３５と、取得された画像と音声に基づいて検証レポートを生成する検証レポート生成モジュール３６とを備える。
【００３７】
画像キャプチャモジュール３４は、ワンセグ対応携帯端末の表示画面とＵＳＢワンセグチューナによる表示画面をキャプチャする画像キャプチャデバイスと、ＨＤＴＶデジタル放送受信機によるＨＤＴＶ画面を劣化なく非圧縮でキャプチャするＨＤ画像キャプチャデバイスを備え（図示省略）、これらの画像キャプチャデバイスを制御して、各デジタル放送受信機の表示画面を画像ファイルとして取得する。
【００３８】
音声キャプチャモジュール３５は、ワンセグ対応携帯端末の音声出力、ＵＳＢワンセグチューナによる音声出力およびＨＤＴＶテレビジョン放送受信機の音声出力をキャプチャする音声キャプチャデバイスを備え（図示省略）、これらの音声キャプチャデバイスを制御して、検証する各受信機の音声出力を音声ファイルとして取得する。
【００３９】
ワンセグ対応携帯端末受信検証ユニット５０ａ、５０ｂ、５０ｃは、各検証用携帯端末のキーを打鍵するキー打鍵ロボット５４ａ、５４ｂ、５４ｃと、各検証用携帯端末の表示部を撮像する携帯端末表示部撮像用カメラ５６ａ、５６ｂ、５６ｃを備え、検証用携帯端末５２ａ、５２ｂ、５２ｃを、それぞれキー打鍵ロボット５４ａ、５４ｂ、５４ｃの位置決めステージの所定位置に固定して検証を行う。
【００４０】
キー打鍵ロボット５４ａ、５４ｂ、５４ｃは、３軸位置決めロボットにキー打鍵ヘッド５５ａ、５５ｂ、５５ｃを装着したものであって、検証制御コンピュータの受信機制御モジュール３３と接続されており、受信機制御モジュール３３は、各キー打鍵ロボットに対して、キー打鍵ヘッドを、打鍵するキーの上に位置決めして降下させる制御信号ＣＭａ、ＣＭｂ、ＣＭｃを送信することで、各携帯端末のキーを打鍵する動作を実行させ、各ワンセグ対応携帯端末の受信機制御操作を行う。
尚、キー打鍵ヘッド５５ａ、５５ｂ、５５ｃは、携帯端末のキー打鍵時の衝撃を吸収する機構と、一定以上の力が加わると開放される安全機構を備え、携帯端末のキーを適切に打鍵するとともに、携帯電話に対して過度の力が加わらない構造としている。
【００４１】
携帯端末表示部撮像用カメラ５６ａ、５６ｂ、５６ｃは、各携帯端末がキー打鍵ロボットの所定位置に固定されたときに、各携帯端末の表示画面が撮像されるように設置されている。携帯端末表示部撮像用カメラは、携帯端末の表示画面が鮮明に撮像されるように、１２０万画素のテレビカメラを使用し、液晶画面のドットによるモアレ縞を除去するためのフィルタを備えている。
各携帯端末表示部撮像用カメラの映像信号出力ＶＭａ、ＶＭｂ、ＶＭｃは、検証制御コンピュータの画像キャプチャデバイスに接続されており、画像キャプチャモジュール３４は、各ワンセグ対応携帯端末の表示画面をキャプチャして画像ファイルとして保存する。
【００４２】
また、各携帯端末の音声出力ＡＭａ、ＡＭｂ、ＡＭｃは、検証制御コンピュータの音声キャプチャデバイスに接続されており、音声キャプチャモジュール３５は、各ワンセグ対応携帯端末の音声出力をキャプチャして音声ファイルとして保存する。
【００４３】
ＵＳＢワンセグチューナ受信検証ユニット６０ａ、６０ｂ、６０ｃは、各検証用ＵＳＢワンセグチューナ６２ａ、６２ｂ、６２ｃをそれぞれＵＳＢワンセグチューナ検証用パソコン６４ａ、６４ｂ、６４ｃに装着したものである。
【００４４】
ＵＳＢワンセグチューナが装着された検証用パソコン６４ａ、６４ｂ、６４ｃは、ＵＳＢインターフェースを介して検証制御コンピュータの受信機制御モジュール３３と接続されており、受信機制御モジュール３３は、各検証用パソコンに対してパソコンのキー操作に相当する制御信号ＣＰａ、ＣＰｂ、ＣＰｃを送信し、各ＵＳＢワンセグチューナの受信機制御操作を行う。
【００４５】
ＵＳＢワンセグチューナが装着された検証用パソコン６４ａ、６４ｂ、６４ｃのモニタ画面出力ＶＰａ、ＶＰｂ、ＶＰｃは、検証制御コンピュータの画像キャプチャデバイスに接続されており、画像キャプチャモジュール３４は、各ＵＳＢワンセグチューナによる表示画面をキャプチャして画像ファイルとして保存する。
【００４６】
また、ＵＳＢワンセグチューナが装着された各検証用パソコン６４ａ、６４ｂ、６４ｃの音声出力ＡＰａ、ＡＰｂ、ＡＰｃは、検証制御コンピュータの音声キャプチャデバイスに接続されており、音声キャプチャモジュール３５は、各ＵＳＢワンセグチューナによる音声出力をキャプチャして音声ファイルとして保存する。
【００４７】
ＨＤＴＶ放送受信機受信検証ユニット７０ａ、７０ｂは、ここではＨＤＴＶテレビジョン放送受信機７２ａと、ＨＤＴＶテレビジョン放送チューナ７２ｂを例示しているが、いずれか一方でもよく、それぞれについてメーカ別に複数機種を備えてもよい。
【００４８】
ＨＤＴＶ放送受信機受信検証ユニット７０ａ、７０ｂは、ＨＤＴＶ放送受信機制御用赤外線通信装置７４を介して検証制御コンピュータの受信機制御モジュール３３と通信可能となっており、受信機制御モジュール３３は、赤外線通信装置７４に対して対象とするＨＤＴＶ放送受信機を指定して受信機制御操作を行う制御信号ＣＰを送信し、赤外線通信装置７４は、指定されたＨＤＴＶ放送受信機に対して赤外線リモコンによる制御操作に相当する赤外線信号を送信することで、各ＨＤＴＶ放送受信機の受信機制御操作を行う。
尚、赤外線通信装置７４は、１つの通信装置で複数のＨＤＴＶ放送受信機と通信するため、メーカーコードと機種コードに基づいて通信するＨＤＴＶ放送受信機を選別して通信する機能を備える。
【００４９】
ＨＤＴＶ放送受信機７２ａ、７２ｂの映像信号出力ＶＲａ、ＶＲｂは、検証制御コンピュータのＨＤＴＶ画像キャプチャデバイスに接続されており、画像キャプチャモジュール３４は、ＨＤＴＶの表示画面をキャプチャして画像ファイルとして保存する。
尚、ここでは、ＨＤＴＶ画面の受信検証を行うため、ＨＤＴＶ放送受信機の映像信号出力にはＤ３端子（１９８０×１０８０  ５９．９４Ｈｚ）を用いている。
【００５０】
また、ＨＤＴＶ放送受信機７２ａ、７２ｂの音声出力ＡＲａ、ＡＲｂは、検証制御コンピュータの音声キャプチャデバイスに接続されており、音声キャプチャモジュール３５は、各ＨＤＴＶ放送受信機の音声出力をキャプチャして音声ファイルとして保存する。
【００５１】
検証制御コンピュータの検証レポート生成モジュール３６は、画像キャプチャモジュール３４により保存された画像ファイルと、音声キャプチャモジュール３５により保存された音声ファイルを、検証スクリプトにおいて指定された各受信機制御操作に対応させて文書化した検証レポートを生成する機能を有する。
【００５２】
図２に、上記地上デジタル放送受信検証システムを用いて各種デジタル放送受信機の受信検証を行う地上デジタル放送受信検証処理の一実施例（Ｓ１００）を示す。
最初に、全体制御コンピュータ１０の全体制御モジュール１４は、これから実行する検証作業の基本情報を入力する（Ｓ１０２）。
入力する基本情報は、顧客名・登録日・検証実施者・検証対象機種・検証機の設定（字幕表示の有無、通信確認表示の有無等）・備考などであり、過去の登録データを呼び出して編集することもできる。
【００５３】
次に、全体制御モジュール１４は、検証スクリプトデータベース１２より、これから実行する検証スクリプトを選択して取得する（Ｓ１０４）。
この実施例では、検証スクリプトは、検証対象放送データに対応してあらかじめ作成されて検証スクリプトデータベース１２に登録されているもののなかから選択して使用するものとしている。また、検証スクリプトデータベースに登録されている検証スクリプトを編集して使用することもできる。尚、ここでは、複数の検証スクリプトを選択可能としており、複数の検証スクリプトの受信検証処理を連続して行うことができる。
上記選択または編集された検証スクリプトの記述に基づき、以下の手順で各受信機の受信検証処理が実行される。
【００５４】
まず、全体制御モジュール１４は、擬似放送送信制御コンピュータ２０に対して、検証スクリプトに記述された検証用ＴＳを通知して擬似放送の送信開始を指示し、擬似放送送信制御コンピュータの送信機制御モジュール２４は、擬似放送送信機４０に対して検証用ＴＳを指定して送信開始コマンドを送り、擬似放送の送信を開始させる（Ｓ１０６）。
次に、全体制御モジュール１４は、検証制御コンピュータ３０に対して、各受信機の受信チャンネルの擬似放送チャンネルへの設定を指示する（Ｓ１０８）。これにより、検証制御コンピュータの受信機制御モジュール３３は、機種別操作情報データベース３２に登録されている受信機操作情報を参照して各受信機のチャンネル設定操作指令を抽出し、各受信機の受信チャンネルを設定させる。
尚、各受信機の受信チャンネルは、検証に先立ってあらかじめ設定しておいてもよいが、連続して種類の異なるＴＳデータを受信できない受信機が存在するため、検証を開始する際に一度別のチャンネルに変更してから検証用チャンネルに戻す動作を行っている。
【００５５】
全体制御モジュール１４は、擬似放送のローディングが完了したら、検証スクリプトから受信機制御情報を取得し（Ｓ１１０）、検証制御コンピュータ３０に対して、受信機制御操作を指示する。これにより、検証制御コンピュータの受信機制御モジュール３４は、機種別操作情報データベース３２を参照して指定された受信機制御情報に対応する各受信機の操作情報を取り出し、各受信機に対して操作指令を送信して制御操作を行わせる（Ｓ１１２）。
操作指令は、受信機がワンセグ対応携帯端末の場合はキー打鍵動作指令であり、受信機がＵＳＢワンセグチューナの場合はパソコンのキー入力指令であり、受信機がＨＤＴＶ放送受信機の場合は赤外線リモコン操作指令である。
尚、受信機に対して制御操作を行う前の初期画面の検証データを取得する場合には、第１回目のループではＳ１１０、Ｓ１１２を実行しない。
【００５６】
全体制御モジュール１４は、各受信機の制御操作が完了したら、検証制御コンピュータ３０に対して、各受信機の表示画面のキャプチャを指示し、検証制御コンピュータの画像キャプチャモジュール３４は、各受信機の画像をキャプチャする（Ｓ１１４）。
画像キャプチャモジュール３４は、画像がキャプチャされたら、機種別画像取込範囲データベース（図示省略）を参照して各受信機の表示画面部分を切り出し、切り出された各受信機の画像データを保存する（Ｓ１１６）。
また、全体制御モジュール１４は、検証スクリプトに音声データの取得が指定されている場合は、検証制御コンピュータ３０に対して各受信機の音声出力のキャプチャを指示し、検証制御コンピュータの音声キャプチャモジュール３５は、各受信機の音声をキャプチャし（Ｓ１１８）取得された各受信機の音声データを保存する（Ｓ１２０）。
【００５７】
全体制御モジュール１４は、検証スクリプトの全ステップの処理が終了するまで、Ｓ１１０から上記処理を繰り返し（Ｓ１２２）、全ステップの処理が終了したら、擬似放送送信制御コンピュータ２０に対して擬似放送の送信停止を指示し、擬似放送制御コンピュータの送信機制御モジュール２４は、擬似放送送信機４０に対して送信停止コマンドを送り、擬似放送の送信を停止させる（Ｓ１２４）。
【００５８】
全体制御モジュール１４は、選択されたすべての検証スクリプトの受信検証処理が終了するまで、Ｓ１０６から上記処理を繰り返し（Ｓ１２６）、全検証スクリプトの受信検証処理が終了したら、検証制御コンピュータ３０に対して検証レポートの生成を指示し、検証制御コンピュータの検証レポート生成モジュール３６は、受信検証を実施した検証スクリプト毎に、保存された画像データと音声データを受信機制御情報に対応付けて文書化した検証レポートを生成し（Ｓ１２８）、地上デジタル放送受信検証処理を終了する。
【００５９】
図３に、本願発明の一実施例にかかる地上デジタル放送受信検証処理において用いられる検証スクリプトの例を示す。
本検証スクリプトでは、最初に検証開始処理として、ステップ３において検証用ＴＳを指定して擬似放送の送信を開始し、ステップ４において受信機の受信チャンネルを設定し、ステップ６において擬似放送のローディングが完了するのを待つ。
また、検証データ取得処理として、ステップ８において検証開始時の各受信機の初期表示画面をキャプチャして、階層１として指定されたファイル名で保存させ、ステップ９において受信機の「下ボタン」を５回押す操作を行い、ステップ１０において受信機の「決定ボタン」を押す操作を行い、ステップ１１において「下ボタン」を５回押して「決定ボタン」を押した後の各受信機の表示画面をキャプチャし、各受信機の音声出力を２秒間キャプチャして、階層１として指定されたファイル名で保存させ、ステップ１２において「下ボタン」を１回押す操作を行い、ステップ１３において「決定ボタン」を押す操作を行い、ステップ１４において３秒間スリープして受信機の動作完了を待ち、ステップ１５は「下ボタン」を１回押して「決定ボタン」を押した後の各受信機の表示画面をキャプチャし、各受信機の音声出力を２秒間キャプチャして、階層１として指定されたファイル名で保存させる。
以上のような検証データ取得処理を必要ステップ繰り返した後、検証終了処理として、ステップ５１において擬似放送の送信を停止し、ステップ５２においてワンセグ対応携帯端末検証ユニットのキー打鍵ロボットを原点位置に復帰させ、ステップ５４において検証レポートの生成を指示して、受信検証処理を終了する。
【００６０】
図４に、機種別操作情報データベース３２に登録される受信機操作情報のサンプルとして、検証対象機種がワンセグ対応携帯端末である場合の受信機操作情報の例を示す。
検証する機種がワンセグ対応携帯端末である場合には、機種別操作情報データベース３２には、受信機操作情報として、検証スクリプトにおいて指定される受信機制御コード（ＵＰ，ＤＯＷＮ，ＲＩＧＨＴ，ＬＥＦＴ，ＳＥＬＥＣＴなど）に対応する、キー打鍵ロボットのキー打鍵動作指令が登録される。
図４の（１）に示すように、ワンセグ携帯端末の受信機操作情報は、受信機制御コード別にキー打鍵ロボットの動作指令がＤＥＦＫＥＹにより定義されたキー定義テーブルとして登録される。
例えば、受信機制御情報が「ＵＰ」の場合は、「ＭＯＶＡ，１００，１」により、速度１００で機種別キー打鍵位置決めテーブルのポイント１（キー「ＵＰ」上の待機位置）に絶対位置移動させ、「ＳＬＥＥＰ  ３００」により、３００ｍｓのポーズを置いた後、「ＭＯＶＩ，１００，１０１」により、速度１００でキー打鍵位置テーブルのキー打鍵ロボット位置決めテーブルのポイント１０１（キー打鍵位置への降下）に相対移動してキーを打鍵し、「ＭＯＶＩ，１００，１０２」により、速度１００でキー打鍵ロボット位置決めテーブルのポイント１０２（待機位置への上昇）に相対移動してキー打鍵待機位置に復帰し、キー打鍵操作を終了する。
【００６１】
図４（２）に、ワンセグ携帯端末の機種別キー打鍵位置決めテーブルの例を示す。ポイント１〜１００には、キー打鍵ロボットのキー打鍵待機位置の各軸の位置決め位置が設定され、ポイント１０１にはキーを打鍵位置に降下させる際のＺ軸の相対移動量が設定され、ポイント１０２にはキーを待機位置に上昇させる際のＺ軸の相対移動量が設定される。
尚、キー打鍵ロボットは、キー打鍵ヘッドを手動で移動させて学習させるティーチングモードを備えており、ワンセグ対応携帯端末の各機種について、このティーチングモードを用いてキー打鍵位置を学習させることで機種別キー打鍵位置決めテーブルが自動登録される。
このように、ワンセグ対応携帯端末の機種別にキー打鍵位置決めテーブルを設けることで、単一の検証スクリプトによって、多種のワンセグ対応携帯端末の受信機制御操作を同時並行的に行うことができ、効率的な受信検証処理を実現できる。
【００６２】
検証対象機種がＵＳＢワンセグチューナである場合は、機種別受信機操作情報データベースには、各機種において指定されたパソコンのキー操作を行わせるキー定義テーブルが登録される。
また、検証対象機種がＨＤＴＶ放送受信機である場合は、機種別受信機操作情報データベースには、各機種において指定された赤外線リモコン操作を行わせるキー定義テーブルが登録される。
このように、機種別受信機操作情報データベースに、すべての検証対象機器のキー定義テーブルを登録し、検証スクリプトにより指定された受信機制御情報に基づいて、各検証対象機種に対してキー操作指令を送るようにすることで、単一の検証スクリプトによって、多岐に亘るデジタル放送受信機の受信機制御操作を同時並行的に行うことができ、効率的な受信検証処理を実現できる。
尚、上述した機種別操作情報データベースに登録される操作情報は一例であり、制御対象たるデジタル放送受信機の仕様により、各種の操作情報を登録することができる。
【００６３】
図５〜８に、上記地上デジタル放送受信検証処理により生成される検証レポートの例を示す。
図５は画面遷移図の例であり、受信機の制御操作に対応して表示画面がどのように変遷したかを一目で判定できる検証レポートが自動生成される。なお、この例では記載していないが、受信機の音声を取得した場合には、音声データがリンク情報として表示され、それをクリックすることでその時点の音声を確認することができる。
このように、各受信機における画面遷移状況を文書化した検証レポートが自動生成されるので、放送データの多種の受信機による受信検証を効率的に行うことができる。
【００６４】
図６は総合判定レポートの例であり、上記受信検証処理により取得された検証データを評価し、検証項目別に指定された判定基準に対してどのような評価が得られたかが提示される。また、各検証項目の判定結果に基づいて総合判定結果が提示されるとともに、必要に応じて懸案事項が提示される。
図７は不具合分析レポートの例であり、各検証項目別に不具合発生件数が累積され、不具合発生状況を示すレポートが自動生成される。
図８は各検証項目について発生した不具合を一覧表にまとめたものであり、機種別にどのような差異が発生しているかが判りやすく提示される。
これらの検証レポートは、電子データとして依頼者に提出してもよく、検証レポート印刷用プリンタ８０により印刷して依頼者に提出するようにしてもよい。
【００６５】
尚、上記実施形態において、図６の総合判定レポートと図８の不具合分析レポートは、評価者が図５の画面遷移図を確認して判定することによって人為的に生成されたものであるが、後述するように、データ放送や映像・音声の自動判定機能を導入し、不具合項目に対応した表示コメントを登録したコメントテーブルを備えることで、不具合が検出されたときにコメントテーブルを参照して対応するコメントを選択して文書化することで、これらのレポートを自動生成させるようにしてもよい。
【００６６】
上記実施形態では、地上デジタル放送受信検証システムは、全体制御コンピュータと、擬似放送送信制御コンピュータと、検証制御コンピュータとを備えるものとして説明したが、本願発明はこれに限定されるものではなく、放送データ記憶手段に記憶された放送データに基づいて擬似放送を生成して各受信機の供給し、検証スクリプト記憶手段に記憶された検証スクリプトに基づいて、各受信機の制御操作を行って各受信機の表示画面や音声出力をキャプチャし、検証レポートを生成することができる限り、どのようなコンピュータ構成を用いてもよいことは言うまでもない。
また、上記実施形態では、検証する各受信機の表示画面とともに音声出力もキャプチャして検証レポートに含めるものとして説明したが、表示画面のキャプチャのみを行って検証レポートを生成するものでもよい。
【００６７】
上記実施形態では、ワンセグ対応携帯端末の受信検証のため、受信制御操作にはキー打鍵ロボットを用いて行い、表示画面のキャプチャには表示部撮像用カメラを用いるものとして説明したが、外部入出力インターフェースを介してワンセグ携帯端末の制御操作や表示画面の取得が可能な機種については、これを用いて受信機制御操作や表示画面のキャプチャを行うようにしてもよい。
【００６８】
上記実施形態では、ＵＳＢワンセグチューナの受信検証のため、受信制御操作はＵＳＢインターフェースを介してパソコンのキー操作を行い、表示画面のキャプチャはモニタ画面出力を用いるものとして説明したが、赤外線通信インターフェース、有線または無線ＬＡＮ等のパソコンの外部入出力インターフェースを介して受信機制御操作や表示画面のキャプチャを行うようにしてもよい。また、受信機制御操作については、キー打鍵ロボットを用いてパソコンのキーを打鍵させるようにしてもよい。
【００６９】
上記実施形態では、検証するデジタル放送受信機として、ワンセグ対応携帯端末と、ＵＳＢワンセグチューナと、ＨＤＴＶ放送受信機とを同時に検証するものとして説明したが、本願発明はこれに限定されるものではなく、これらのうちのいずれかのデジタル放送受信機について受信検証を行うものであってもよく、これ以外のデジタル放送受信機の検証を含むものであってもよい。
【００７０】
また、上記実施形態では、検証スクリプトはあらかじめ生成して検証スクリプトデータベースに登録しておくものとして説明したが、放送データの記述コードの画面遷移解析を行い、画面遷移が発生する受信機制御情報を抽出することで、検証スクリプトを自動生成させるようにしてもよい。これにより、依頼者より放送データを取得することで、受信検証を自動で行うことが可能となり、デジタル放送の受信検証を更に効率的に実施することが可能となる。
【００７１】
また、上記実施形態では、検証の対象となる放送データは放送データ記憶手段にあらかじめ登録されているものとして説明したが、依頼者より通信回線を介して放送データを受信し、上記地上デジタル放送受信検証処理により生成された検証レポートを、通信回線を介して依頼者に送信するようにしてもよい。
これにより、地上デジタル放送の受信検証をオンラインサービスとして提供することが可能となり、多大化する地上デジタル放送番組の検証需要に対して迅速なデジタル放送受信検証サービスを提供できる。
【００７２】
図９に、本願発明の他の実施例にかかる地上デジタル放送受信検証処理として、検証スクリプトに基づいてデータ放送の受信画面を自動判定するデータ放送自動判定受信検証処理の実施例（Ｓ２００）の処理手順を示す。
この場合の検証スクリプトには、デジタル放送受信機の表示画面を遷移させる受信機制御情報とともに、遷移後の表示画面を判定するための参照画像データと、遷移後の表示画面の表示位置と大きさが定義された画面表示設定情報とが登録されている。
尚、以下の処理手順においては、簡単のため、システム構成要素の機能分担に基づく説明は省略し、システム全体から見た制御手順の観点から説明する。
【００７３】
最初に、検証対象放送データベースから放送データのＢＭＬファイルを取得し、擬似放送の送信を開始する（Ｓ２０２）。
次に、検証スクリプトより、受信機制御情報を取得し（Ｓ２０４）、機種別操作情報データベースを参照して各受信機に操作指令を送信する（Ｓ２０６）。
次に、各受信機について画像をキャプチャし（Ｓ２０８）、機種別画像取込範囲データベースを参照して各受信機の表示画面部分を抽出する（Ｓ２１０）。
次に、検証スクリプトより参照画像データと画面表示設定情報を取得し（Ｓ２１２）、抽出された各受信機の表示画面部分について、取得された画面表示設定情報により指定された部分の画像を、取得された参照画像データとマッチング演算を行う（Ｓ２１４）。
マッチング演算の結果、所定以上の差異が検知されたら（Ｓ２１６）、データ放送の異常を報告する（Ｓ２１８）。
以上の処理を、検証スクリプトの全ステップが終了するまで（Ｓ２２０）、機種別操作情報データベースを参照して各受信機に「戻る」操作指令を送信した上で（Ｓ２２１）、Ｓ２０４から繰り返す。
検証スクリプトの全ステップが終了したら、擬似放送の送信を停止する（Ｓ２２２）。
以上の処理をＳ２０２から繰り返し、全データ放送の受信検証処理が終了したら（Ｓ２２４）、データ放送自動判定受信検証処理を終了する。
【００７４】
上記実施例において、検証スクリプトに、参照画像データとともに、実際に検証を行う際に表示画面が変動する部分をマスクするマスク画像データを登録することとし、Ｓ２１４においてマスク画像データを用いて変動部分をマスクしてマッチング演算を行うようにしてもよい。これにより、受信機に表示される画面に表示内容が変動する部分を含んでいる場合でも、その部分を除く画面の遷移が正しく行われたことを自動判定することが可能となる。
【００７５】
図１０に、本願発明の更に他の実施例にかかる地上デジタル放送受信検証処理として、検証スクリプトを用いず、放送データのみに基づいてデータ放送の受信画面を自動判定するデータ放送自動判定受信検証処理の実施例（Ｓ３００）の処理手順を示す。
【００７６】
最初に、検証対象放送データベースから放送データのＢＭＬファイルを取得し、擬似放送の送信を開始する（Ｓ３０２）。
次に、放送データのＢＭＬファイルを解析し、画面を遷移させる受信機制御情報と、遷移後の表示画面のリンク情報、遷移後の表示画面の表示位置と大きさを指定する画面表示設定情報を取得する（Ｓ３０４）。
次に、取得された受信機制御情報に基づき、機種別操作情報データベースを参照して各受信機に操作指令を送信する（Ｓ３０６）。
次に、各受信機について画像をキャプチャし（Ｓ３０８）、機種別画像取込範囲データベースを参照して各受信機の表示画面部分を抽出する（Ｓ３１０）。
次に、取得されたリンク情報に基づいて遷移後の表示画面を合成して参照画像データを生成し（Ｓ３１２）、抽出された各受信機の表示画面部分について、取得された画面表示設定情報により指定された部分の画像を、生成された参照画像データとマッチング演算を行う（Ｓ３１４）。
マッチング演算の結果、所定以上の差異が検知されたら（Ｓ３１６）、データ放送の異常を報告する（Ｓ３１８）。
以上の処理を、ＢＭＬファイルの全ステップが終了するまで（Ｓ３２０）、機種別操作情報データベースを参照して各受信機に「戻る」操作指令を送信した上で（Ｓ３２１）、Ｓ３０４から繰り返す。
ＢＭＬファイルの全ステップが終了したら、擬似放送の送信を停止する（Ｓ３２２）。
以上の処理をＳ３０２から繰り返し、全データ放送の受信検証処理が終了したら（Ｓ３２４）、データ放送自動判定受信検証処理を終了する。
【００７７】
尚、この場合においても、Ｓ３１０において、参照画像データをとともに、リンク情報に基づいて実際に検証を行う際の表示画面が変動する部分をマスクするマスク画像データを生成し、Ｓ３１４においてマスク画像データを用いて変動部分をマスクしてマッチング演算を行うようにしてもよい。
【００７８】
また、上記実施例では、検証対象放送データベースにと録されている検証の対象となるＢＭＬファイル毎に受信検証を行うものとして説明したが、遷移後のＢＭＬファイルについて更に同様の処理を繰り返し、それ以上遷移するＢＭＬファイルがない場合に、上位の階層に戻ることで、検証の対象となるすべてのＢＭＬファイルの受信検証を行うようにしてもよい。
【００７９】
上記実施形態においては、画像キャプチャモジュールは、各受信機の表示画面を静止画像としてキャプチャするものとして説明したが、動画像をキャプチャし、デジタル放送の映像の検証を行う機能をそなえるようにしてもよい。
図１１に、本願発明の更に他の実施例にかかる地上デジタル放送受信検証処理として、デジタル放送の映像・音声の自動判定を行うデジタル放送映像・音声自動判定受信検証処理の実施例（Ｓ４００）の処理手順を示す。
【００８０】
最初に、検証対象放送データベースから放送データを取得し（Ｓ４０２）、擬似放送の送信を開始する（Ｓ４０４）。
次に、各受信機について、映像のキャプチャと音声のキャプチャを開始する（Ｓ４０６）。
一方、検証対象放送データベースから映像・音声データを取得し、これを再生して参照映像ストリームと、参照音声ストリームを生成する（Ｓ４０８）。
尚、検証用の音声・映像データを再生して参照映像ストリームと参照音声ストリームを生成する処理は、専用ハードウェアを用いて行うようにしてもよく、システム内のコンピュータによるソフトウェア処理によって行うようにしてもよい。
【００８１】
次に、各受信機についてキャプチャされる映像と参照映像ストリームの動的映像マッチング演算を行う（Ｓ４１０）。
この場合の動的映像マッチングとは、一方の映像フレームに対して他方の映像フレームが所定時間について最も一致するように時刻合わせを行った上でマッチング演算を開始するものであるが、それぞれの映像ストリームのタイムスタンプに基づいて時刻合わせを行った上でマッチング演算を開始するようにしてもよい。
マッチング演算の結果、所定以上の差異が検知されたら（Ｓ４１２）、放送映像の異常を報告する（Ｓ４１４）。
【００８２】
また、各受信機についてキャプチャされる音声と、参照音声ストリームについて、リアルタイムスペクトル演算を行う（Ｓ４１６）。
そして、各受信機のリアルタイムスペクトルと、参照音声ストリームのリアルタイムスペクトルの動的音声スペクトルマッチング演算を行う（Ｓ４１８）。
この場合の動的音声スペクトルマッチングも、一方のリアルタイムスペクトルに対して他方のリアルタイムスペクトルが所定時間について最も一致するように時刻合わせを行った上でマッチング演算を開始するものであるが、これについてもタイムスタンプに基づいて時刻合わせを行った上でマッチング演算を開始するようにしてもよい。
マッチング演算の結果、所定以上の差異が検知されたら（Ｓ４２０）、放送音声の異常を報告する（Ｓ４２２）。
【００８３】
以上の処理をＳ４１０から連続して行い、検証が終了したら（Ｓ４２４）、擬似放送の送信を停止し（Ｓ４２６）、デジタル放送映像・音声自動判定受信検証処理を終了する。
尚、上記処理手順では、説明の都合上映像の判定を行った後に音声の判定を行うように記載したが、映像の判定と音声の判定は同時並行的に実行される。
【００８４】
上記実施例では、映像・音声キャプチャモジュールにおいてキャプチャされる映像・音声と、放送データを再生して得られる参照映像ストリームと参照音声ストリームとを、リアルタイムにマッチングをとりながら連続的に映像・音声の自動判定を行うものとして説明したが、あらかじめ定めた時間帯についてのマッチングのみを行うようにしてもよい。
また、上記実施例では、デジタル放送の映像と音声の両方について自動判定するものとして説明したが、いずれか一方のみを行うようにしてもよい
【００８５】
上記実施例にかかるデータ放送自動判定受信検証処理（Ｓ２００とＳ３００）およびデジタル放送映像・音声自動判定受信検証処理（Ｓ４００）では、検証対象放送データに基づいて擬似放送を生成し、検証する各受信機に供給するものとして説明したが、これらの処理においては各受信機において受信されたデジタル放送についてリアルタイム判定できるものであるので、擬似放送送信検証コンピュータおよび擬似放送送信機を省略し、検証する各受信機において実際に放送されている電波を受信させて、データ放送や映像・音声について自動判定させるようにしてもよい。
このようにすることで、例えば、放送中のデジタル放送番組の放送データを、通信回線を介して順次取得することで、デジタル放送番組の異常をリアルタイムで自動監視することができ、放送事故の発生に対して迅速に対応することが可能となるなどの特有の効果を奏する。
【産業上の利用可能性】
【００８６】
以上述べたように、本願発明によれば、検証するデジタル放送受信機により実際に受信された放送電波について、受信機側での操作による表示画面の遷移状況を検証することができ、流通している多岐に亘るデジタル放送受信機において、検証の対象となるデジタル放送番組が正しく受信されることを検証できるので、デジタル放送番組の受信検証を効率的に行う目的に利用することができる。
また、この発明は、デジタル放送受信機自体の試験検査用としても利用することができ、検証用の放送データを用いて多種のデジタル放送受信機の試験検査を効率的に行うことができる。尚、この場合には、例えば、解像度チャート等のテスト映像を用いた解像度等の検証や、テスト音声を用いたダイナミックレンジや音声帯域の検証を、データ放送の検証と並行して行うようにしてもよい。
【００８７】
本願発明は、上述した各実施形態に限定されるものではなく、本願発明の効果を奏する限り、各実施形態で述べた構成要素を適宜入れ替えたり、新たな構成要素を追加したり、一部の構成要素を削除したりしてもよいことはいうまでもない。
【図面の簡単な説明】
【００８８】
【図１】本願発明の一実施形態にかかる地上デジタル放送受信検証システムのシステム構成図である。
【図２】本願発明の一実施例にかかる地上デジタル放送受信検証処理の処理手順を示すフロー図である。
【図３】本願発明の一実施例にかかる地上デジタル放送受信検証処理において用いられる検証スクリプトの例を示す図である。
【図４】本願発明の一実施例にかかる地上デジタル放送受信検証処理において用いられる機種別操作情報（ワンセグ対応携帯端末の場合）の例を示す図である。
【図５】本願発明の一実施例にかかる地上デジタル放送受信検証処理により生成される検証レポート（画像遷移図）の例を示す図である。
【図６】本願発明の一実施例にかかる地上デジタル放送受信検証処理により生成される検証レポート（総合判定レポート）の例を示す図である。
【図７】本願発明の一実施例にかかる地上デジタル放送受信検証処理により生成される検証レポート（不具合分析レポート）の例を示す図である。
【図８】本願発明の一実施例にかかる地上デジタル放送受信検証処理により生成される検証レポート（不具合一覧表）の例を示す図である。
【図９】本願発明の他の実施例にかかるデータ放送自動判定受信検証処理（検証スクリプトに基づいて自動判定する場合）の処理手順を示すフロー図である。
【図１０】本願発明の更に他の実施例にかかるデータ放送自動判定受信検証処理（放送データに基づいて自動判定する場合）の処理手順を示すフロー図である。
【図１１】本願発明の更に他の実施例にかかるデジタル放送映像・音声自動判定受信検証処理の処理手順を示すフロー図である。
【符号の説明】
【００８９】
１０  全体制御コンピュータ
１２  検証スクリプトデータベース
１４  全体制御モジュール
２０  擬似放送送信制御コンピュータ
２２  検証対象放送データベース
２４  送信機制御モジュール
３０  検証制御コンピュータ
３２  機種別操作情報データベース
３３  受信機制御モジュール
３４  映像キャプチャモジュール
３５  音声キャプチャモジュール
３６  検証レポート生成モジュール
４０  擬似放送送信機
５０ａ、５０ｂ、５０ｃ  ワンセグ対応携帯端末検証ユニット
５２ａ、５２ｂ、５２ｃ  ワンセグ対応携帯端末
５４ａ、５４ｂ、５４ｃ  携帯端末キー打鍵ロボット
５５ａ、５５ｂ、５５ｃ  携帯端末キー打鍵ヘッド
５６ａ、５６ｂ、５６ｃ  携帯端末表示部撮像用カメラ
６０ａ、６０ｂ、６０ｃ  ＵＳＢワンセグチューナ検証ユニット
６２ａ、６２ｂ、６２ｃ  ＵＳＢワンセグチューナ
６４ａ、６４ｂ、６４ｃ  ＵＳＢワンセグチューナ検証用パソコン
７０ａ、７０ｂ  ＨＤＴＶ放送受信機検証ユニット
７２ａ  ＨＤＴＶ放送受信機
７２ｂ  ＨＤＴＶ放送受信チューナ
７４  ＨＤＴＶ放送受信機制御用赤外線通信装置
８０  検証レポート印刷用プリンタ
【図１】
2009272786.tif 000003
【図２】
2009272786.tif 000004
【図３】
2009272786.tif 000005
【図４】
2009272786.tif 000006
【図５】
2009272786.tif 000007
【図６】
2009272786.tif 000008
【図７】
2009272786.tif 000009
【図８】
2009272786.tif 000010
【図９】
2009272786.tif 000011
【図１０】
2009272786.tif 000012
【図１１】
2009272786.tif 000013